(57)【要約】【課題】解錠時にＧＰＳ衛星からの受信電波を要さず、人力で運搬でき、悪意ある他者からの制御を受けないこと。【解決手段】セキュリティボックス１１の施錠及び解錠を制御し、暗証番号が入力されて施錠された後は、操作パネル５をロックする電子ロック制御部３と、ＧＰＳ衛星からＧＰＳ測位情報を受信するＧＰＳ部８と、測位情報から現在位置の情報であるＧＰＳ位置情報を生成するＧＰＳ制御部１と、ＧＰＳ位置情報を前記管理用端末に無線通信で送信する通信カード７と、目的地の位置情報である登録位置情報を記憶するフラッシュメモリ６と、ＧＰＳ位置情報と登録位置情報とを比較し、両者が合致する場合は、操作パネル５のロックを解除させる信号を電子ロック制御部３に送るプロセッサ２と、を備え、プロセッサ２は、ＧＰＳ位置情報が示す位置と登録位置情報が示す位置との誤差が１００ｍ以内であれば、操作パネル５のロックを解除させる。【選択図】図１
2010255362.tif 000002
【特許請求の範囲】
【請求項１】
キーによる操作が可能な操作パネルを有し、該操作パネルの前記キーによる所定の暗証番号の入力によって施錠・解錠される人力で運搬可能なコンテナと、該コンテナの現在位置を該コンテナとの無線通信で把握する管理用端末とを有するコンテナの施錠・解錠システムであって、
前記コンテナは、
前記コンテナの施錠及び解錠を制御し、前記暗証番号が入力されて施錠された後は、前記操作パネルをロックする電子ロック制御部と、
ＧＰＳ衛星からＧＰＳ測位情報を受信するＧＰＳ部と、
該測位情報から前記現在位置の情報であるＧＰＳ位置情報を生成するＧＰＳ制御部と、
該ＧＰＳ位置情報を前記管理用端末に無線通信で送信する通信カードと、
解錠される目的地の位置情報である登録位置情報を記憶するフラッシュメモリと、
前記ＧＰＳ位置情報と前記登録位置情報とを比較し、両者が合致する場合は、前記操作パネルのロックを解除させる信号を前記電子ロック制御部に送るプロセッサと、
を備え、
前記プロセッサは、前記ＧＰＳ位置情報が示す位置と前記登録位置情報が示す位置との誤差が１００ｍ以内であれば、前記操作パネルのロックを解除させる信号を発し、前記電子ロック制御部は、前記プロセッサから前記操作パネルのロックを解除させる信号を受けて、前記操作パネルの操作が可能なようにすることを特徴とするコンテナの施錠・解錠システム。
【請求項２】
前記フラッシュメモリは、前記管理用端末によって予め前記登録位置情報が記録されることを特徴とする請求項１に記載のコンテナの施錠・解錠システム。
【請求項３】
前記通信カードは、インターネットを介した無線通信により、メールで前記ＧＰＳ位置情報を送信することを特徴とする請求項１又は２に記載のコンテナの施錠・解錠システム。
【請求項４】
キーによる操作が可能な操作パネルを有し、該操作パネルの前記キーによる所定の暗証番号の入力によって施錠される人力で運搬可能なコンテナで、該コンテナの現在位置を管理用端末に無線通信する該コンテナの施錠・解錠の方法であって、
前記暗証番号が入力されて施錠された後は、前記操作パネルをロックする手順と、
ＧＰＳ衛星からＧＰＳ測位情報を受信する手順と、
該測位情報から前記現在位置の情報であるＧＰＳ位置情報を生成する手順と、
該ＧＰＳ位置情報を前記管理用端末に無線通信で送信する手順と、
解錠される目的地の位置情報である登録位置情報を記憶する手順と、
前記ＧＰＳ位置情報と前記登録位置情報とを比較し、前記ＧＰＳ位置情報が示す位置と前記登録位置情報が示す位置との誤差が１００ｍ以内であれば、前記操作パネルのロックを解除させるようにする手順と、
を備えることを特徴とするコンテナの施錠・解錠の方法。
【請求項５】
前記登録位置情報を記憶する手順は、前記コンテナにセットされるフラッシュメモリに前記管理用端末によって予め前記登録位置情報が記録されることを特徴とする請求項４に記載のコンテナの施錠・解錠の方法。
【請求項６】
前記送信する手順は、インターネットを介した無線通信により、メールで前記ＧＰＳ位置情報を送信することを特徴とする請求項４又は５に記載のコンテナの施錠・解錠の方法。
【請求項７】
キーによる操作が可能な操作パネルを有し、該操作パネルの前記キーによる所定の暗証番号の入力によって施錠・解錠される人力で運搬可能なコンテナで、該コンテナの現在位置を管理用端末に無線通信する該コンテナの施錠・解錠のプログラムであって、
前記暗証番号が入力されて施錠された後は、前記操作パネルをロックする処理と、
ＧＰＳ衛星からＧＰＳ測位情報を受信する処理と、
該測位情報から前記現在位置の情報であるＧＰＳ位置情報を生成する処理と、
該ＧＰＳ位置情報を前記管理用端末に無線通信で送信する処理と、
解錠される目的地の位置情報である登録位置情報を記憶する処理と、
前記ＧＰＳ位置情報と前記登録位置情報とを比較し、前記ＧＰＳ位置情報が示す位置と前記登録位置情報が示す位置との誤差が１００ｍ以内であれば、前記操作パネルのロックを解除させるようにする処理と、
をコンピュータに実行させることを特徴とするコンテナの施錠・解錠のプログラム。
【請求項８】
前記登録位置情報を記憶する処理は、前記コンテナにセットされるフラッシュメモリに前記管理用端末によって予め前記登録位置情報が記録されることを特徴とする請求項７に記載のコンテナの施錠・解錠のプログラム。
【請求項９】
前記送信する処理は、インターネットを介した無線通信により、メールで前記ＧＰＳ位置情報を送信することを特徴とする請求項７又は８に記載のコンテナの施錠・解錠のプログラム。
【発明の詳細な説明】
【技術分野】
【０００１】
本発明は、ＧＰＳ機能によるコンテナの施錠・解錠システム、その方法及びそのプログラムに関する。
【背景技術】
【０００２】
これまでは、目的地以外でも、鍵さえあれば施錠のロック解除は可能であった。運搬中の追跡も困難な為、セキュリティ的にも不十分であった。
【０００３】
そのため、特許文献１にはＧＰＳ受信機を含む位置情報処理装置を内蔵し、所定の時刻における該位置情報処理装置の位置照合データを用いて該貴重品の開錠の管理を行う貴重品輸送方式が開示されている。
【先行技術文献】
【特許文献】
【０００４】
【特許文献１】特開２００３−２２１９５５号公報
【発明の概要】
【発明が解決しようとする課題】
【０００５】
しかしながら、特許文献１に開示されている発明は、車載を前提としたもので、一個人が運び得る仕様ではない。又、設定された輸送ルート等を、管理センターから送信される情報により適宜変更できることになっているが、反面、悪意ある者による虚偽情報の送信により、誤った輸送ルートに変更されてしまうという問題点がある。
【０００６】
更に、特許文献１に開示されている発明は、ロックを解除するにはＧＰＳ衛星からの電波を受信する必要があるという問題点がある。このため、例えば、建物等のＧＰＳ衛星からの電波が届かない場所では、その建物の屋外にＧＰＳ衛星からの電波を受信するためのアンテナを設置しなければならない。
【０００７】
本発明は上記に鑑みてなされたもので、解錠時にＧＰＳ衛星からの受信電波を要さず、かつ人力で運搬でき、悪意ある他者からの制御を受けないコンテナの施錠・解錠システム、その方法及びそのプログラムを提供することを目的とする。
【課題を解決するための手段】
【０００８】
上述の問題を解決するため、本発明に係るコンテナの施錠・解錠システムは、キーによる操作が可能な操作パネルを有し、該操作パネルの前記キーによる所定の暗証番号の入力によって施錠される人力で運搬可能なコンテナと、該コンテナの現在位置を該コンテナとの無線通信で把握する管理用端末とを有するコンテナの施錠・解錠システムであって、前記コンテナは、前記コンテナの施錠及び解錠を制御し、前記暗証番号が入力されて施錠された後は、前記操作パネルをロックする電子ロック制御部と、ＧＰＳ衛星からＧＰＳ測位情報を受信するＧＰＳ部と、該測位情報から前記現在位置の情報であるＧＰＳ位置情報を生成するＧＰＳ制御部と、該ＧＰＳ位置情報を前記管理用端末に無線通信で送信する通信カードと、解錠される目的地の位置情報である登録位置情報を記憶するフラッシュメモリと、前記ＧＰＳ位置情報と前記登録位置情報とを比較し、両者が合致する場合は、前記操作パネルのロックを解除させる信号を前記電子ロック制御部に送るプロセッサと、を備え、前記プロセッサは、前記ＧＰＳ位置情報が示す位置と前記登録位置情報が示す位置との誤差が１００ｍ以内であれば、前記操作パネルのロックを解除させる信号を発し、前記電子ロック制御部は、前記プロセッサから前記操作パネルのロックを解除させる信号を受けて、前記操作パネルの操作が可能なようにすることを特徴とする。
【０００９】
上述の問題を解決するため、本発明に係るコンテナの施錠・解錠の方法は、キーによる操作が可能な操作パネルを有し、該操作パネルの前記キーによる所定の暗証番号の入力によって施錠される人力で運搬可能なコンテナで、該コンテナの現在位置を管理用端末に無線通信する該コンテナの施錠・解錠の方法であって、前記暗証番号が入力されて施錠された後は、前記操作パネルをロックする手順と、ＧＰＳ衛星からＧＰＳ測位情報を受信する手順と、該測位情報から前記現在位置の情報であるＧＰＳ位置情報を生成する手順と、該ＧＰＳ位置情報を前記管理用端末に無線通信で送信する手順と、解錠される目的地の位置情報である登録位置情報を記憶する手順と、前記ＧＰＳ位置情報と前記登録位置情報とを比較し、前記ＧＰＳ位置情報が示す位置と前記登録位置情報が示す位置との誤差が１００ｍ以内であれば、前記操作パネルのロックを解除させるようにする手順と、を備えることを特徴とする。
【００１０】
上述の問題を解決するため、本発明に係るコンテナの施錠・解錠の方法は、キーによる操作が可能な操作パネルを有し、該操作パネルの前記キーによる所定の暗証番号の入力によって施錠される人力で運搬可能なコンテナで、該コンテナの現在位置を管理用端末に無線通信する該コンテナの施錠・解錠のプログラムであって、前記暗証番号が入力されて施錠された後は、前記操作パネルをロックする処理と、ＧＰＳ衛星からＧＰＳ測位情報を受信する処理と、該測位情報から前記現在位置の情報であるＧＰＳ位置情報を生成する処理と、該ＧＰＳ位置情報を前記管理用端末に無線通信で送信する処理と、解錠される目的地の位置情報である登録位置情報を記憶する処理と、前記ＧＰＳ位置情報と前記登録位置情報とを比較し、前記ＧＰＳ位置情報が示す位置と前記登録位置情報が示す位置との誤差が１００ｍ以内であれば、前記操作パネルのロックを解除させるようにする処理と、をコンピュータに実行させることを特徴とする。
【発明の効果】
【００１１】
本発明によれば、解錠時にＧＰＳ衛星からの受信電波を要さず、かつ人力で運搬でき、悪意ある他者からの制御を受けないコンテナの施錠・解錠システム、その方法及びそのプログラムを提供することができる。
【図面の簡単な説明】
【００１２】
【図１】本発明の第１の実施の形態に係る施錠・解錠システムの構成図である。
【図２】本発明の第１の実施の形態に係る施錠・解錠システムの動作を示すフローチャートである。
【図３】本発明の第１の実施の形態に係る施錠・解錠システムの動作を示すフローチャートである。
【図４】本発明の第１の実施の形態に係る施錠・解錠システムの位置情報送信機能の機能ブロック図である。
【図５】本発明の第１の実施の形態に係る施錠・解錠システムの位置情報チェックシステムの機能ブロック図である。
【図６】本発明の第１の実施の形態に係る施錠・解錠システムのセキュリティロックの解除の機能ブロック図である。
【図７】本発明の第１の実施の形態に係る施錠・解錠システムのセキュリティボックスの操作パネルの一例を示す図である。
【発明を実施するための形態】
【００１３】
［第１の実施の形態］
次に、本発明の第１の実施の形態に係る施錠・解錠システムについて図面を参照して詳細に説明する。ここで、図１は、本発明の第１の実施の形態に係る施錠・解錠システムの構成図である。
【００１４】
図１を参照すると、本発明の実施の形態に係る施錠・解錠システムは、ＧＰＳ位置情報を受信出来るセキュリティボックス１１と、管理用端末である管理ＰＣ２１とを備える。
【００１５】
セキュリティボックス１１は、ＧＰＳ制御部１、プロセッサ２、電子ロック制御部３、電子ロック部４、操作パネル５、フラッシュメモリ６、通信カード７を有する。
【００１６】
ここでいうセキュリティボックスとは、キーによる操作が可能な操作パネルを有し、この操作パネルのキーからの所定の暗証番号の入力によって施錠・解錠されるコンテナであって、人力で運搬可能なものをいう。
【００１７】
これらはそれぞれ概略次のように動作する。まず、操作パネル５は、暗証番号の入力及びセキュリティボックス１１のロック・アンロック（施錠・解錠）操作を行う。施錠後は、操作パネル５は、後述する電子ロック制御部３によってその操作がロックされる。
【００１８】
このように操作パネル５が施錠後はロックされることにより、運搬途中にセキュリティボックス１１が勝手に開閉されるということを防止することができる。
【００１９】
次いで、セキュリティボックス１１が運搬途中は、ＧＰＳ部８がＧＰＳ衛星から測位信号を受信し、位置情報ＧＰＳ制御部１は、受信した測位信号から現在位置の位置情報であるＧＰＳ位置情報を生成し、このＧＰＳ位置情報をプロセッサ２へ受け渡す。
【００２０】
フラッシュメモリ６は、ロックが解錠される場所である目的地の位置情報である登録位置情報を記憶し、プロセッサ２は、この登録位置情報とＧＰＳ位置情報とを比較し、両者が合致する場合は、操作パネル５のロックを解除させる信号を電子ロック制御部３に送る機能を有する。
【００２１】
更に、通信カード７は、ＧＰＳ部８が受信した測位信号に基づいて割り出されたＧＰＳ位置情報を、管理ＰＣ２１へ送信する。
【００２２】
電子ロック制御部３は、プロセッサ２から操作パネルのロックを解除させる信号を受取り、操作パネル５の操作を可能にする。
【００２３】
更に、電源供給部として、バッテリ９を内蔵している。
【００２４】
［第１の実施の形態の動作］
次に、図１から図７の図面を参照して本発明の第１の実施の形態の動作について詳細に説明する。
【００２５】
ここで、図２及び図３は、本発明の第１の実施の形態に係る施錠・解錠システムの動作を示すフローチャートである。
【００２６】
まず、図２によれば、管理ＰＣ２１にて、登録位置情報をフラッシュメモリへ登録する。この登録位置情報が登録されたフラッシュメモリを、セキュリティボックス１１のメモリスロットへセットする（ステップ１）。
【００２７】
セキュリティボックス１１の操作パネル５で、所定の暗証番号が入力され、“LOCK”ボタンが押下され、更に“確定”ボタンが押下されることにより、電子的な施錠であるセキュリティロックによる施錠がなされる（ステップ２）。この施錠後は、操作パネル５が電子ロック制御部３によってロックされ、その操作が不能となる。
【００２８】
なお、所定の暗証番号とは、予めセキュリティボックス１１に登録されている暗証番号であり、必要に応じて、随時変更可能なものであってもよい。
【００２９】
このセキュリティロックは電子的なものであるが、これに加えて、機械式のダイヤルロックを装備してもよい。
【００３０】
移動中には、一定時間毎に、通信カード７から現在のＧＰＳ位置情報をメールで管理ＰＣ２１へ送信する（ステップ３）。管理ＰＣ２１側では、受信したＧＰＳ位置情報を元にセキュリティボックス１１の追跡を行う。
【００３１】
セキュリティボックス１１のプロセッサ２は、現在のＧＰＳ位置情報と登録位置情報とを比較し（ステップ４）、目的地付近（位置情報誤差１００ｍ範囲内）に到達したとき、すなわち、ＧＰＳ位置情報が示す位置と登録位置情報とが示す位置との誤差が１００ｍ以内であれば、前記操作パネルのロックを解除させる信号を発する（ステップ４：Ｙｅｓ）。  電子ロック制御部３は、この信号を受けて、操作パネル５のＬＣＤ表示部に、セキュリティボックス１１の操作パネルが可能になり、解錠できる旨のメッセージを表示するようにする（ステップ５）。
【００３２】
ステップ６以降は、図３によって説明する。この図３は、セキュリティロックを解除する手順について説明している。
【００３３】
まず、ステップ６では、操作パネル５が解錠される。次いで、操作パネル５に所定の暗証番号が入力され（ステップ７）、入力された暗証番号が登録されたものであるか否かが確認され（ステップ８）、入力された暗証番号が登録された暗証番号と一致した場合（ステップ８：Ｙｅｓ）、電子的なセキュリティロックが解錠される（ステップ９）。
【００３４】
機械式のダイヤルロックを有する場合は、そのダイヤルロックの番号が合致されてロックが解除される事により（ステップ１０）、セキュリティボックス１１を開放出来る（ステップ１１）。
【００３５】
図４は、本発明の第１の実施の形態に係る施錠・解錠システムの位置情報送信機能の機能ブロック図である。
【００３６】
図４では、プロセッサ２がフラッシュメモリ６に登録させた登録位置情報を読み出し、ＧＰＳ制御部１から送られてくる現在のＧＰＳ位置情報とを比較する。又、プロセッサ２は通信カード７を制御し、現在の位置情報を通信カード７を介して現在位置情報のデータをインターネットを介した無線通信によるメールで管理ＰＣ２１へ送信する。これによって、管理ＰＣ２１側では、メールで送信されてきたデータを元に、セキュリティボックス１１の移動を追跡できる。
【００３７】
図５は、本発明の第１の実施の形態に係る施錠・解錠システムの位置情報チェックシステムの機能ブロック図である。
【００３８】
図５では、プロセッサ２が、フラッシュメモリ６より読み出された登録位置情報と、ＧＰＳ制御部１がＧＰＳ衛星から受信した測位信号から生成したＧＰＳ位置情報とを比較する。この比較で両者が合致した場合にのみ、電子ロック制御部３へ、その旨の信号を送り、電子ロック制御部３は、図７の操作パネル５のＬＣＤ部に操作パネル５の操作が可能になった旨の表示を行う。
【００３９】
図６は、本発明の第１の実施の形態に係る施錠・解錠システムのセキュリティロックの解除の機能ブロック図である。
【００４０】
図６では、電子ロック制御部３が、プロセッサ２により登録位置情報と現在のＧＰＳ位置情報が合致した旨の信号を受け、操作パネル５の操作ロックを解除し、ＬＣＤパネルにロック解除のメッセージを表示させる。
【００４１】
操作可能となった操作パネル５から暗証番号を入力してロック解除の指示を行う事により、電子ロック部の施錠を電子ロック制御部３が解除する、更にダイヤルロック部にあるダイヤル式のロックを手動で解除する事で、セキュリティボックス１１を開放する事を可能とする。
【００４２】
図７は、本発明の第１の実施の形態に係る施錠・解錠システムのセキュリティボックス１１の操作パネル５の一例を示す図である。
【００４３】
図７に示した操作パネル５では、セキュリティロックを施錠する場合、操作パネル５のボタン操作にて、登録されている５桁の暗証番号をセットした後“LOCK”ボタンを押し最後に“確定”ボタンを押す。この一連の操作により、セキュリティロックを施錠できる。
【００４４】
又、セキュリティロックを解除する場合には、操作パネル５のボタン操作にて、セキュリティロックを掛けた時の５桁暗証番号を入力後、“UNLOCK”ボタンを押し、最後に“確定”ボタンを押す。この一連の操作により、セキュリティロックを解除できる。なお、暗証番号の再入力回数制限機能はなくてもよいが、備えていてもよい。
なお、本発明は装置のみならず、方法及びプログラムの発明としても実施できる。
【産業上の利用可能性】
【００４５】
本発明は、高いレベルのセキュリティが求められる現金などの貴重品の運搬に利用できる。
【符号の説明】
【００４６】
１  ＧＰＳ制御部
２  プロセッサ
３  電子ロック制御部
４  電子ロック部
５  操作パネル
６  フラッシュメモリ
７  通信カード
８  ＧＰＳ部
９  バッテリ
１１  セキュリティボックス
２１  管理ＰＣ
【図１】
2010255362.tif 000003
【図２】
2010255362.tif 000004
【図３】
2010255362.tif 000005
【図４】
2010255362.tif 000006
【図５】
2010255362.tif 000007
【図６】
2010255362.tif 000008
【図７】
2010255362.tif 000009